(57)【特許請求の範囲】
【請求項１】
時間を計測する対象となる行為の種別と、当該行為に対して定められた規定時間とを関連付けて記憶する記憶部と、
前記行為の種別を受け付けるとともに、時間の計測の開始指示を受け付ける受付部と、
前記受付部が前記開始指示を受け付けると、時間の計測を開始する計測部と、
前記計測部が計測した時間と、前記受付部が受け付けた行為の種別に関連付けられている規定時間との関係を示す情報を通知する通知部と、
を備える電子機器。
【請求項２】
前記受付部は、前記電子機器と通信可能な端末から、前記行為の種別を受け付けるとともに時間の計測の開始指示を受け付ける、
請求項１に記載の電子機器。
【請求項３】
前記通知部は、前記受付部が前記開始指示を受け付けると、前記電子機器と通信可能な端末に、前記受付部が受け付けた前記行為の種別の時間の計測の開始指示を受け付けた旨を通知する、
請求項１又は２に記載の電子機器。
【請求項４】
前記電子機器と通信可能な端末から、前記行為の種別と前記規定時間とを受信し、当該行為の種別と当該規定時間とを関連付けて前記記憶部に記憶させる記憶制御部をさらに備える、
請求項１から３のいずれか１項に記載の電子機器。
【請求項５】
前記受付部は、前記時間の計測の中断指示又は終了指示と、再開指示とをさらに受け付け、
前記計測部によって計測された時間を示す経過時間を前記行為の種別と関連付けて前記記憶部に記憶させる記憶制御部をさらに備え、
前記計測部は、前記受付部が前記中断指示又は前記終了指示を受け付けた後に前記再開指示を受け付けると、時間の計測が中断又は終了した前記行為の種別に関連付けられて前記記憶部に記憶されている前記経過時間から時間の計測を再開する、
請求項１から４のいずれか１項に記載の電子機器。
【請求項６】
前記通知部は、前記中断指示又は前記終了指示を受け付けると、前記電子機器と通信可能な端末に、時間を計測している前記行為の種別について、前記中断指示又は前記終了指示を受け付けた旨を通知する、
請求項５に記載の電子機器。
【請求項７】
前記記憶制御部は、所定の時刻において、前記記憶部に前記行為の種別に関連付けて記憶されている前記経過時間が、当該行為の種別に関連付けられている前記規定時間よりも短い場合、当該規定時間から当該経過時間を減算して得られる時間を、当該行為の種別に関連する繰越時間として前記記憶部に記憶させ、
前記通知部は、前記計測部が計測した時間が、前記受付部が受け付けた行為の種別に関連付けられている前記規定時間と前記繰越時間との合計時間を経過すると、当該行為に対して定められた時間が経過した旨を示す情報を通知する、
請求項６に記載の電子機器。
【請求項８】
前記記憶制御部は、前記電子機器と通信可能な端末から、前記経過時間の変更指示を受け付けたことに応じて、当該経過時間を変更する、
請求項５から７のいずれか１項に記載の電子機器。
【請求項９】
前記記憶制御部は、第１行為の計測時間に基づいて、前記記憶部に記憶されている第２行為の前記規定時間を調整する、
請求項５から８のいずれか１項に記載の電子機器。
【請求項１０】
前記記憶部は、前記電子機器のユーザの予定の種別と、当該予定の開始予定時刻をさらに記憶し、
前記通知部は、前記計測部が計測した時間が、前記受付部が受け付けた行為の種別に関連付けられている前記規定時間を経過する前に、前記予定の開始予定時刻になると、前記計測部による計測を中止させるとともに、前記予定の種別を通知する、
請求項１から９のいずれか１項に記載の電子機器。
【請求項１１】
前記予定の種別と、当該予定の開始予定時刻とを、前記電子機器と通信可能な端末から受信し、当該予定の種別と、当該開始予定時刻とを関連付けて前記記憶部に記憶させる記憶制御部をさらに備える、
請求項１０に記載の電子機器。
【請求項１２】
電子機器と、前記電子機器と通信可能な端末とを備える通信システムであって、
前記端末は、時間を計測する対象となる行為の種別を受け付けるとともに時間の計測の開始指示を受け付ける受付部を有し、
前記電子機器は、
時間を計測する対象となる行為の種別と、当該行為に対して定められた規定時間とを関連付けて記憶する記憶部と、
前記受付部が前記開始指示を受け付けると、時間の計測を開始する計測部と、
前記計測部が計測した時間と、前記受付部が受け付けた行為の種別に関連付けられている規定時間との関係を示す情報を前記電子機器と前記端末の少なくともいずれかに通知する通知部とを有する、
通信システム。
【請求項１３】
コンピュータにより実行される、
時間を計測する対象となる行為の種別を受け付けるとともに、時間の計測の開始指示を受け付けるステップと、
前記開始指示を受け付けると、時間の計測を開始するステップと、
計測された時間と、受け付けた前記行為の種別に関連付けられている規定時間との関係を示す情報を通知するステップと、
を備える通知方法。
【請求項１４】
コンピュータを、
時間を計測する対象となる行為の種別を受け付けるとともに、時間の計測の開始指示を受け付ける受付部、
前記受付部が前記開始指示を受け付けると、時間を計測する計測部、及び
前記計測部が計測した時間と、前記受付部が受け付けた行為の種別に関連付けられて記憶部に記憶されている当該行為に対して定められた規定時間との関係を示す情報を通知する通知部、
として機能させる時間計測プログラム。
【発明の詳細な説明】
【技術分野】
【０００１】
本発明は、電子機器、通信システム、通知方法及び時間計測プログラムに関する。
【背景技術】
【０００２】
従来、予め定めた時間を計測するタイマーモードを備えた時計が知られている（例えば、特許文献１参照）。そして、タイマーモードを備えた時計を用いて、子供にゲーム時間を計測させることで、ゲーム時間を予め定められた時間に限定させたり、勉強時間を計測させることで、予め定められた時間よりも多く勉強させたりすることが行われている。
【先行技術文献】
【特許文献】
【０００３】
【特許文献１】特開２０１４−４８２４０号公報
【発明の概要】
【発明が解決しようとする課題】
【０００４】
しかしながら、子供が自らゲーム時間や勉強時間を設定する場合、親が予め定めた時間とは異なる時間を設定することがある。例えば、ゲーム時間を設定する場合に、予め定めた時間よりも長い時間を設定したり、勉強時間を設定する場合に、予め定められた時間よりも短い時間を設定したりすることがあり、この場合には、親が予め定めた時間を正しく測定できないという問題が生じる。
【０００５】
そこで、本発明はこれらの点に鑑みてなされたものであり、行為の種別に応じて定められた時間を正しく計測することができる電子機器、通信システム、通知方法及び時間計測プログラムを提供することを目的とする。
【課題を解決するための手段】
【０００６】
本発明の第１の態様に係る電子機器は、時間を計測する対象となる行為の種別と、当該行為に対して定められた規定時間とを関連付けて記憶する記憶部と、前記行為の種別を受け付けるとともに、時間の計測の開始指示を受け付ける受付部と、前記受付部が前記開始指示を受け付けると、時間の計測を開始する計測部と、前記計測部が計測した時間と、前記受付部が受け付けた行為の種別に関連付けられている規定時間との関係を示す情報を通知する通知部と、を備える。
【０００７】
前記受付部は、前記電子機器と通信可能な端末から、前記行為の種別を受け付けるとともに時間の計測の開始指示を受け付けてもよい。
前記通知部は、前記受付部が前記開始指示を受け付けると、前記電子機器と通信可能な端末に、前記受付部が受け付けた前記行為の種別の時間の計測の開始指示を受け付けた旨を通知してもよい。
【０００８】
前記電子機器は、前記電子機器と通信可能な端末から、前記行為の種別と前記規定時間とを受信し、当該行為の種別と当該規定時間とを関連付けて前記記憶部に記憶させる記憶制御部をさらに備えてもよい。
【０００９】
前記受付部は、前記時間の計測の中断指示又は終了指示と、再開指示とをさらに受け付け、前記電子機器は、前記計測部によって計測された時間を示す経過時間を前記行為の種別と関連付けて前記記憶部に記憶させる記憶制御部をさらに備え、前記計測部は、前記受付部が前記中断指示又は前記終了指示を受け付けた後に前記再開指示を受け付けると、時間の計測が中断又は終了した前記行為の種別に関連付けられて前記記憶部に記憶されている前記経過時間から時間の計測を再開してもよい。
【００１０】
前記通知部は、前記中断指示又は前記終了指示を受け付けると、前記電子機器と通信可能な端末に、時間を計測している前記行為の種別について、前記中断指示又は前記終了指示を受け付けた旨を通知してもよい。
【００１１】
前記記憶制御部は、所定の時刻において、前記記憶部に前記行為の種別に関連付けて記憶されている前記経過時間が、当該行為の種別に関連付けられている前記規定時間よりも短い場合、当該規定時間から当該経過時間を減算して得られる時間を、当該行為の種別に関連する繰越時間として前記記憶部に記憶させ、前記通知部は、前記計測部が計測した時間が、前記受付部が受け付けた行為の種別に関連付けられている前記規定時間と前記繰越時間との合計時間を経過すると、当該行為に対して定められた時間が経過した旨を示す情報を通知してもよい。
前記記憶制御部は、前記電子機器と通信可能な端末から、前記経過時間の変更指示を受け付けたことに応じて、当該経過時間を変更してもよい。
【００１２】
前記記憶制御部は、第１行為の計測時間に基づいて、前記記憶部に記憶されている第２行為の前記規定時間を調整してもよい。
前記記憶部は、前記電子機器のユーザの予定の種別と、当該予定の開始予定時刻をさらに記憶し、前記通知部は、前記計測部が計測した時間が、前記受付部が受け付けた行為の種別に関連付けられている前記規定時間を経過する前に、前記予定の開始予定時刻になると、前記計測部による計測を中止させるとともに、前記予定の種別を通知してもよい。
【００１３】
前記電子機器は、前記予定の種別と、当該予定の開始予定時刻とを、前記電子機器と通信可能な端末から受信し、当該予定の種別と、当該開始予定時刻とを関連付けて前記記憶部に記憶させる記憶制御部をさらに備えてもよい。
【００１４】
本発明の第２の態様に係る通信システムは、電子機器と、前記電子機器と通信可能な端末とを備える通信システムであって、前記端末は、時間を計測する対象となる行為の種別を受け付けるとともに時間の計測の開始指示を受け付ける受付部を有し、前記電子機器は、時間を計測する対象となる行為の種別と、当該行為に対して定められた規定時間とを関連付けて記憶する記憶部と、前記受付部が前記開始指示を受け付けると、時間の計測を開始する計測部と、前記計測部が計測した時間と、前記受付部が受け付けた行為の種別に関連付けられている規定時間との関係を示す情報を前記電子機器と前記端末の少なくともいずれかに通知する通知部とを有する。
【００１５】
本発明の第３の態様に係る通知方法は、コンピュータにより実行される、時間を計測する対象となる行為の種別を受け付けるとともに、時間の計測の開始指示を受け付けるステップと、前記開始指示を受け付けると、時間の計測を開始するステップと、計測された時間と、受け付けた前記行為の種別に関連付けられている規定時間との関係を示す情報を通知するステップと、を備える。
【００１６】
本発明の第４の態様に係る時間計測プログラムは、コンピュータを、時間を計測する対象となる行為の種別を受け付けるとともに、時間の計測の開始指示を受け付ける受付部、前記受付部が前記開始指示を受け付けると、時間を計測する計測部、及び前記計測部が計測した時間と、前記受付部が受け付けた行為の種別に関連付けられて記憶部に記憶されている当該行為に対して定められた規定時間との関係を示す情報を通知する通知部、として機能させる。
【発明の効果】
【００１７】
本発明によれば、行為の種別に応じて定められた時間を正しく計測することができるという効果を奏する。
【図面の簡単な説明】
【００１８】
【図１】第１の実施形態に係る通信端末を示す図である。
【図２】第１の実施形態に係る通信端末に表示される画面例を示す図である。
【図３】第１の実施形態に係る通信端末に表示される計測画面の例を示す図である。
【図４】第１の実施形態に係る通信端末の構成を示す図である。
【図５】第１の実施形態に係る規定時間情報の一例を示す図である。
【図６】第１の実施形態に係る通信端末１における処理の流れを示すフローチャートである。
【図７】第２の実施形態に係る規定時間情報の一例を示す図である。
【図８】第４の実施形態に係る通信端末と他の端末との関係を示す図である。
【図９】第４の実施形態に係る端末の構成を示す図である。
【図１０】連携プログラムを実行することにより表示される画面の一例を示す図である。
【図１１】第４の実施形態に係る端末に表示される計測画面の例を示す図である。
【図１２】第５の実施形態に係る通信システムを示す図である。
【発明を実施するための形態】
【００１９】
＜第１の実施形態＞
図１は、第１の実施形態に係る電子機器としての通信端末１を示す図である。通信端末１は、腕時計のように手首に装着可能に構成されており、タッチパネルが重ねて設けられた表示部１１と、手首に装着するためのベルト１６とを有する。なお、通信端末１は、手首に装着可能に構成されるものに限らず、スマートフォン、携帯電話機及びコンピュータ等のように通信機能を有する任意の端末であってもよい。
【００２０】
図２は、第１の実施形態に係る通信端末１に表示される画面例を示す図である。通信端末１は、所定の動作又は所定の操作を検出すると、図２（ａ）に示す現在の時刻を表示する時計画面を表示部１１に表示させる。そして、通信端末１は、時計画面が表示部１１に表示されている場合に、当該時計画面をタッチする操作を検出すると、図２（ｂ）に示すメニュー画面を表示させる。ユーザがメニュー画面に表示された複数のモードから一のモードを選択することにより、通信端末１は、図２（ｃ）に示す電話を発信するための画面、図２（ｄ）に示すタイマー等の各種時計機能の呼び出しを行う画面、図２（ｅ）に示すメールを送信するための画面、図２（ｆ）に示す操作履歴を表示する画面のいずれかに切り替えることができる。
【００２１】
図２（ｄ）に示す時計機能の呼び出しを行う画面では、ユーザは、４つのモードを選択することができる。具体的には、ユーザは、行為の種別ごとに予め定められた時間を測定するタイマーモード、ユーザが任意の時間を計測するストップウォッチモード、予め設定された時刻となったことをユーザに通知するアラームモード、アラームを通知させるイベントを登録する予定登録モードを選択することができる。
【００２２】
図２（ｄ）に示す画面において、タイマーモードが選択されると、通信端末１は、図３（ａ）に示す行為の種別の選択及び時間の計測を受け付ける計測画面を表示部１１に表示させる。続いて、当該計測画面において行為の種別が選択され、当該計測画面において文字列「スタート」が付された計測開始ボタンをタッチする操作が行われると、通信端末１は、時間の計測を開始し、図３（ｂ）に示すように計測画面を変化させる。
【００２３】
通信端末１は、図３（ｂ）に示す計測画面において文字列「ストップ」が付された計測中断ボタンをタッチする操作が行われると、通信端末１は、時間の計測を中断し、図３（ｃ）に示すように計測画面を変化させる。
通信端末１は、図３（ｃ）に示す計測画面において文字列「再開」が付された計測再開ボタンをタッチする操作が行われると、通信端末１は、時間の計測を再開し、図３（ｂ）に示すように計測画面を変化させる。
【００２４】
続いて、通信端末１は、選択された行為の種別に対して定められた時間が経過すると、図３（ｄ）に示すように計測画面を変化させ、当該時間が経過した旨を通信端末１のユーザに通知する。通信端末１では、行為の種別に応じて時間が定められており、計測時間が当該時間を経過すると、当該時間が経過した旨を通知することから、ユーザは、時間を計測する行為の種別を選択することにより、当該行為に対して定められた時間を正しく計測することができる。
以下に、通信端末１の構成と動作の詳細について説明する。
【００２５】
図４は、第１の実施形態に係る通信端末１の構成を示す図である。通信端末１は、表示部１１と、入力部１２と、通信インターフェイス部（通信ＩＦ部）１３と、記憶部１４と、制御部１５とを備える。
表示部１１は、例えば、液晶ディスプレイや有機ＥＬ（Electro-Luminescence）ディスプレイ等により構成される。表示部１１は、制御部１５の制御に応じて文字や図形等を表示する。
入力部１２は、例えば、ボタンや、表示部１１に重畳して配置されるタッチパネル等により構成されており、通信端末１のユーザから操作入力を受け付ける。
【００２６】
通信ＩＦ部１３は、制御部１５から出力された信号を変調してＲＦ（Radio Frequency）信号を生成し、アンテナ（不図示）を介して当該ＲＦ信号を基地局（不図示）又は無線ＬＡＮ等のアクセスポイント（不図示）に無線送信する。通信ＩＦ部１３は、アンテナを介して基地局又はアクセスポイントから受信したＲＦ信号を復調し、復調により得られた信号を制御部１５に出力する。以下の説明において、通信端末１は、通信ＩＦ部１３を介して外部機器と通信を行うものとする。
【００２７】
記憶部１４は、例えば、ＲＯＭ及びＲＡＭ等により構成される。記憶部１４は、通信端末１を機能させるための各種プログラムを記憶する。例えば、記憶部１４は、通信端末１の制御部１５を、後述する受付部１５１、計測部１５２、記憶制御部１５３、通知部１５４として機能させるための時間計測プログラムを記憶する。
【００２８】
また、記憶部１４は、時間を計測する対象となる行為の種別と、当該行為に対して定められた規定時間とを関連付けて規定時間情報として記憶する。図５は、規定時間情報の一例を示す図である。図５に示す例では、「ゲーム」に対して規定時間「３０分」が関連付けられ、「勉強」及び「テレビ」に対して規定時間「１時間」が関連付けられている。
【００２９】
また、記憶部１４は、通信端末１のユーザの予定の種別と、当該予定の開始予定時刻及び終了予定時刻とを関連付けてスケジュール情報として記憶する。なお、記憶部１４は、外部メモリ等の記憶媒体に記憶されたプログラムを読み取って記憶してもよく、通信ネットワークを介して外部機器からダウンロードされたプログラムを記憶してもよい。
【００３０】
制御部１５は、例えば、ＣＰＵにより構成される。制御部１５は、記憶部１４に記憶されている各種プログラムを実行することにより、通信端末１に係る機能を制御する。制御部１５は、受付部１５１と、計測部１５２と、記憶制御部１５３と、通知部１５４とを備える。
【００３１】
受付部１５１は、通信端末１のユーザから、予定の種別と、当該予定の開始予定時刻及び終了予定時刻とを受け付ける。受付部１５１は、受け付けた予定の種別、開始予定時刻及び終了予定時刻を関連付けてスケジュール情報として記憶部１４に記憶させる。
【００３２】
受付部１５１は、ユーザが時間を計測しようとしている行為の種別を受け付けるとともに、時間の計測の開始指示を受け付ける。具体的には、受付部１５１は、図２（ｄ）に示す時計機能の呼び出しを行う画面においてタイマーモードが選択されると、記憶部１４に記憶されている規定時間情報を参照し、複数の行為の種別のそれぞれに関連付けられている規定時間を特定する。そして、受付部１５１は、図３（ａ）に示すように、行為の種別の選択及び時間の計測を受け付ける計測画面を表示部１１に表示させる。
【００３３】
図３（ａ）では、表示部１１に、行為の種別として「ゲーム」が表示されているとともに、「ゲーム」に関連付けられている規定時間「３０分」が表示されていることが確認できる。また、図３（ａ）に示される「ゲーム」の右側に表示されている逆三角形のマークは、行為の種別の選択を受け付けるボタンである。このボタンがタッチされると、受付部１５１は、記憶部１４に記憶されている規定時間情報に含まれている行為の種別を計測画面に表示させ、行為の種別の選択を受け付ける。そして、受付部１５１は、一の行為の種別が選択されると、選択された行為の種別と、当該種別に関連付けられている規定時間とを図３（ａ）に示す計測画面に表示させる。
【００３４】
また、図３（ａ）では、文字列「スタート」が付され、時間の計測を受け付ける計測開始ボタンが表示されている。受付部１５１は、計測開始ボタンがタッチされると、選択された行為の種別に対応する時間の計測の開始指示を受け付け、計測部１５２に時間の計測を開始させる。
計測部１５２は、受付部１５１が時間の計測の開始指示を受け付けると、時間の計測を開始する。
【００３５】
受付部１５１は、計測部１５２に計測を開始させると、例えば、規定時間から、計測部１５２が計測した時間を減算し、選択された行為の種別に対応する残り時間を図３（ｂ）に示すように計測画面に表示させる。また、受付部１５１は、計測部１５２が計測を開始すると、図３（ｂ）に示すように、文字列「ストップ」が付され、時間の計測の中断指示を受け付ける計測中断ボタンを計測画面に表示させる。受付部１５１は、計測中断ボタンがタッチされると、選択された行為の種別に対応する時間の計測の中断指示を受け付け、計測部１５２に時間の計測を中断させる。なお、受付部１５１は、時間計測プログラムの終了指示を受け付けることにより、時間の計測の終了指示を受け付けてもよい。そして、受付部１５１は、時間の計測の終了指示を受け付けると、計測部１５２に時間の計測を終了させてもよい。
【００３６】
計測部１５２は、受付部１５１が時間の計測の中断指示を受け付けると、時間の計測を中断する。
記憶制御部１５３は、受付部１５１が中断指示を受け付けると、計測部１５２によって計測された時間を示す経過時間を、受付部１５１が受け付けた行為の種別と関連付けて記憶部１４に記憶させる。
【００３７】
ここで、記憶制御部１５３は、１日に一度、指定の時間（例えば日付変更時）に、記憶部１４に行為の種別と関連付けられて記憶されている経過時間を定期的に消去する。このようにすることで、通信端末１は、計測部１５２が計測した経過時間を指定の時間にリセットすることができる。なお、記憶制御部１５３は、日付が変わったことに応じて経過時間を消去したが、これに限らない。例えば、記憶制御部１５３は、受付部１５１が中断指示を受け付けると、経過時間を行為の種別及び中断した時刻と関連付けて記憶部１４に記憶させておき、当該中断した時刻から所定時間経過した行為の種別に関連する経過時間を消去するようにしてもよい。
【００３８】
受付部１５１は、計測中断ボタンがタッチされると、図３（ｃ）に示すように、文字列「再開」が付され、時間の計測の再開指示を受け付ける計測再開ボタンを計測画面に表示させる。また、受付部１５１は、時間の計測の終了指示を受け付け、時間計測プログラムが実行終了した後に、時間計測プログラムが再実行され、時間の計測の終了指示を受け付けた際の行為の種別が選択された場合には、図３（ｃ）に示す時間の計測の再開指示を受け付ける画面を表示させてもよい。受付部１５１は、中断指示又は終了指示を受け付けた後に、再開指示を受け付けると、時間の計測が中断された行為の種別に関連付けられて記憶部１４に記憶されている経過時間から、計測部１５２に時間の計測を再開させる。受付部１５１は、再開指示を受け付けると、計測画面の表示を図３（ｂ）に示す表示に切り替える。
【００３９】
通知部１５４は、計測部１５２が計測した時間と、受付部１５１が受け付けた行為の種別に関連付けられている規定時間との関係を示す情報を通知する。具体的には、通知部１５４は、計測部１５２が計測した時間が、受付部１５１が受け付けた行為の種別に関連付けられている規定時間を経過すると、当該規定時間を経過した旨を通知する。例えば、通知部１５４は、計測部１５２が計測した時間が規定時間を経過すると、計測画面を図３（ｄ）に示す表示に切り替えることにより、規定時間を経過した旨を通信端末１のユーザに通知する。なお、通知部１５４は、計測部１５２が計測した時間が、受付部１５１が受け付けた行為の種別に関連付けられている規定時間を経過する前に、規定時間が近づいている旨を通信端末１のユーザに通知してもよい。例えば、通知部１５４は、計測部１５２が計測した時間が、規定時間の第１時間前（例えば、５分前）を示している場合には、規定時間までの残り時間が第１時間である旨をユーザに通知し、計測した時間が規定時間の第２時間前（例えば、１分前）を示している場合には、規定時間までの残り時間が第２時間である旨をユーザに通知する。ここで、通知部１５４は、ユーザが、規定時間まで第１時間である旨と、第２時間である旨とを区別できるように、それぞれの通知態様を異ならせてもよい。また、通知部１５４は、通信端末１に設けられているスピーカ（不図示）に通知音を出力させることにより規定時間を経過した旨や規定時間に近づいた旨を通知してもよい。
【００４０】
また、通知部１５４は、計測部１５２が計測した時間が、受付部１５１が受け付けた行為の種別に関連付けられている規定時間を経過する前に、記憶部１４に記憶されている予定の開始予定時刻になると、計測部１５２による計測を中止させるとともに、当該予定の種別を通知する。例えば、通知部１５４は、開始予定時刻が到来した予定の種別を通知する通知画面を表示部１１に表示させることにより、当該予定の種別をユーザに通知する。このようにすることで、通信端末１は、ユーザが選択した行為の時間を計測中であっても、予め登録されているスケジュールの予定を当該ユーザに通知することができる。
【００４１】
［フローチャート］
続いて、通信端末１における処理の流れについて説明する。図６は、第１の実施形態に係る通信端末１における時間の計測に係る処理の流れを示すフローチャートである。
まず、受付部１５１は、図３（ａ）に示す計測画面において、行為の種別の選択を受け付ける（Ｓ１０）。
【００４２】
続いて、受付部１５１は、図３（ａ）に示す計測画面に設けられている計測開始ボタンがタッチされることにより時間の計測の開始指示を受け付けたか否かを判定する（Ｓ２０）。受付部１５１は、開始指示を受け付けたと判定すると、Ｓ３０に処理を移し、開始指示を受け付けていないと判定すると、Ｓ１０に処理を移す。
【００４３】
Ｓ３０において、受付部１５１は、Ｓ１０において選択された行為の種別の時間計測を開始する。受付部１５１は、時間計測を開始すると、図３（ｂ）に示すように計測画面に計測中断ボタンを表示させる。
【００４４】
続いて、受付部１５１は、計測中断ボタンがタッチされることにより時間の計測の中断指示を受け付けたか否かを判定する（Ｓ４０）。受付部１５１は、中断指示を受け付けたと判定すると、Ｓ５０に処理を移し、中断指示を受け付けていないと判定すると、Ｓ９０に処理を移す。
Ｓ５０において、受付部１５１は、計測部１５２に時間の計測を中断させる。受付部１５１は、時間計測を中断すると、図３（ｃ）に示すように計測画面に計測再開ボタンを表示させる。
続いて、記憶制御部１５３は、計測部１５２によって計測された経過時間を、Ｓ１０において選択された行為の種別と関連付けて記憶部１４に記憶させる（Ｓ６０）。
【００４５】
続いて、受付部１５１は、計測再開ボタンがタッチされることにより時間の計測の再開指示を受け付けたか否かを判定する（Ｓ７０）。受付部１５１は、再開指示を受け付けたと判定すると、Ｓ８０に処理を移し、再開指示を受け付けていないと判定すると、Ｓ７０を再実行する。
Ｓ８０において、受付部１５１は、計測部１５２に時間の計測を再開させる。ここで、受付部１５１は、計測部１５２に、Ｓ６０において記憶された経過時間から時間の計測を再開させる。受付部１５１は、時間計測を再開すると、図３（ｂ）に示すように計測画面に計測中断ボタンを表示させる。
【００４６】
続いて、通知部１５４は、記憶部１４に記憶されているスケジュール情報を参照し、予定開始時刻が到来した予定があるか否かを判定する（Ｓ９０）。通知部１５４は、予定開始時刻が到来した予定があると判定すると、Ｓ１００に処理を移し、計測部１５２に時間の計測を中断させ、その後、予定開始時刻が到来した予定の種別を通知する（Ｓ１１０）。また、通知部１５４は、予定開始時刻が到来した予定の種別がないと判定すると、Ｓ１２０に処理を移す。
【００４７】
Ｓ１２０において、通知部１５４は、計測部１５２が計測した時間が、Ｓ１０において選択された行為の種別に関連付けられている規定時間を経過したか否かを判定する。通知部１５４は、規定時間を経過したと判定すると、Ｓ１３０に処理を移し、規定時間を経過した旨を通知する。また、通知部１５４は、規定時間を経過していないと判定すると、Ｓ４０に処理を移す。
【００４８】
［第１の実施形態における効果］
以上のとおり、第１の実施形態に係る通信端末１は、行為の種別を受け付けるとともに時間の計測の開始指示を受け付け、開始指示を受け付けると時間の計測を開始し、計測部１５２が計測した時間が、受付部１５１が受け付けた行為の種別に関連付けられている規定時間を経過すると、当該規定時間を経過した旨を通知する。このようにすることで、ユーザは、時間を計測する行為の種別を選択することで、当該行為に対して定められた時間を正しく計測することができる。
【００４９】
＜第２の実施形態＞
［繰越時間を算出する］
続いて、第２の実施形態について説明する。第２の実施形態では、通信端末１が、記憶部１４に記憶されている経過時間を消去する際に、当該経過時間が規定時間に比べて短い場合、規定時間と経過時間との差分を繰越時間とし、新たに時間を計測する際に規定時間に加算させる点で第１の実施形態と異なる。以下に、第２の実施形態に係る通信端末１の詳細を説明する。なお、第１の実施形態と同様の機能については説明を省略する。
【００５０】
第２の実施形態において、記憶制御部１５３は、所定の時刻において、記憶部１４に行為の種別と関連付けられて記憶されている経過時間が、当該行為の種別と関連付けられている規定時間よりも短い場合、当該規定時間から当該経過時間を減算して得られる時間を、当該行為の種別に関連する繰越時間として記憶部１４に記憶させる。具体的には、記憶制御部１５３は、行為の種別と規定時間とに、算出した繰越時間をさらに関連付けて規定時間情報として記憶させる。
【００５１】
図７は、第２の実施形態に係る規定時間情報の一例を示す図である。図７に示されているように、第２の実施形態に係る規定時間情報には、行為の種別と規定時間とに関連付けて繰越時間が関連付けられていることが確認できる。
【００５２】
なお、記憶制御部１５３は、繰越時間が発生した日を繰越日とし、規定時間情報に、繰越時間及び当該繰越日を関連付けて記憶させてもよい。そして、記憶制御部１５３は、繰越日が、現在の日付に比べて所定時間以上前である場合、当該繰越日に関連付けられている繰越時間を無効とするようにしてもよい。
【００５３】
また、通信端末１は、一の行為の種別に対する繰越時間の上限を設定できるようにしてもよい。そして、記憶制御部１５３は、規定時間情報に繰越時間を関連付けて記憶させる際に、繰越時間が設定されている上限を超えている場合には、上限を超えた分の繰越時間を無効とするようにしてもよい。
また、通信端末１は、複数の行為の種別のそれぞれに対して繰越時間を算出するか否かを設定できるようにしてもよい。
【００５４】
受付部１５１は、図３（ａ）に示すように、行為の種別の選択及び時間の計測を受け付ける計測画面を表示部１１に表示させる際に、当該計測画面に行為の種別を表示させるとともに、当該行為に対して定められた時間として、規定時間と繰越時間との合計時間を表示させる。ここで、受付部１５１は、計測画面に合計時間を表示させるとともに繰越時間を表示させてもよい。このようにすることで、通信端末１のユーザは、繰越時間がどのくらいなのか確認することができる。
【００５５】
通知部１５４は、計測部１５２が計測した時間が、受付部１５１が受け付けた行為の種別に関連付けられている規定時間と繰越時間との合計時間を経過すると、当該行為に対して定められた時間が経過した旨を示す情報を通知する。
【００５６】
［第２の実施形態における効果］
以上のとおり、第２の実施形態に係る通信端末１は、所定の時刻において、記憶部１４に行為の種別に関連付けて記憶されている経過時間が、当該行為の種別に関連付けられている規定時間よりも短い場合、当該規定時間から当該経過時間を減算して得られる時間を、当該行為の種別に関連する繰越時間として記憶部１４に記憶させる。そして、通信端末１は、計測部１５２が計測した時間が、受付部１５１が受け付けた行為の種別に関連付けられている規定時間と繰越時間との合計時間を経過すると、当該行為に対して定められた時間が経過した旨を示す情報を通知する。
【００５７】
このようにすることで、通信端末１は、例えばユーザに、勉強が忙しい日に規定時間どおりにゲームを行わずに、勉強に余裕がある日にゲームを行うように動機付けることができる。また、通信端末１は、例えばユーザに、ゲームやテレビ等の行為について、計画的に時間を繰り越して、集中的に当該行為を行わせるように動機付けることができる。これにより、通信端末１は、ユーザに対して計画して行動することを学ばせることができる。
【００５８】
＜第３の実施形態＞
［第１行為の計測時間に基づいて第２行為の規定時間を調整する］
続いて、第３の実施形態について説明する。第３の実施形態では、通信端末１が、第１行為（例えば勉強）の計測時間に基づいて第２行為（例えばゲーム）の規定時間を調整する点で第１の実施形態と異なる。
【００５９】
第３の実施形態において、記憶制御部１５３は、行為の種別と、計測部１５２が当該行為について計測した時間とを関連付けて測定結果情報として記憶部１４に記憶させる。
そして、記憶制御部１５３は、測定結果情報に含まれる第１行為の計測時間に基づいて、記憶部１４の規定時間情報に記憶されている第２行為の規定時間を調整する。
【００６０】
例えば、記憶制御部１５３は、測定結果情報に含まれる勉強（第１行為）の計測時間が、規定時間に比べて所定時間以上多い場合に、記憶部１４の規定時間情報に記憶されているゲーム（第２行為）の規定時間を増加させる。また、記憶制御部１５３は、測定結果情報に含まれる勉強の計測時間が、規定時間に比べて少ない場合に、記憶部１４の規定時間情報に記憶されているゲームの規定時間を減少させる。
【００６１】
なお、第２行為の規定時間の調整条件は、上述したものに限らない。例えば、所定期間（１カ月間）における第１行為の計測時間の合計が、当該期間における第１行為の規定時間の合計に比べて所定時間以上多い場合に、記憶制御部１５３は、規定時間情報に記憶されている第２行為の規定時間を増加させてもよい。
【００６２】
また、記憶制御部１５３は、単位期間（例えば、１日、１週間、１カ月等）ごとの、測定結果情報に含まれる複数の行為のそれぞれの計測時間の合計と、規定時間の合計とを示すグラフを表示部１１に表示させてもよい。例えば、複数の行為が勉強の科目である場合に、記憶制御部１５３は、科目ごとの勉強時間の合計と、規定時間の合計とを対比して表示するグラフを表示部１１に表示させる。このようにすることで、通信端末１のユーザは、自身が予め定めた規定時間どおりに勉強を進められているか否かを確認することができる。なお、記憶制御部１５３は、例えば、計測時間の合計が、規定時間の合計に比べて所定割合以上低い場合に、表示部１１に勉強時間が足りない旨を示す警告メッセージを表示させるようにしてもよい。また、記憶制御部１５３は、当日の勉強時間が所定時刻以降（例えば、１８時以降）においても規定時間に達していない場合には、タイマーモードに係る画面とは異なる画面に勉強時間が足りない旨を通知させてもよい。例えば、記憶制御部１５３は、図２（ａ）に示す時計画面の背景色を変更させたり、点滅させたりすることで、勉強時間が足りない旨を通知させてもよい。このようにすることで、通信端末１のユーザに、勉強時間が足りないことを気付かせることができる。
【００６３】
［第３の実施形態における効果］
以上のとおり、第３の実施形態に係る通信端末１は、測定結果情報に含まれる第１行為の計測時間に基づいて、記憶部１４の規定時間情報に記憶されている第２行為の規定時間を調整する。このようにすることで、例えば、通信端末１のユーザが勉強を頑張った場合に、その褒美としてゲーム時間を増加させることができ、当該ユーザの勉強に対する意欲を向上させることができる。
【００６４】
＜第４の実施形態＞
［通信端末１と通信可能な他の端末２と連携する］
続いて、第４の実施形態について説明する。通信端末１は、例えば子供が使用することが想定されるが、この場合、親が子供の行動を制限したり、子供の行動を把握できたりすることが好ましい。そこで、第４の実施形態では、通信端末１が、当該通信端末１と通信可能な他の端末２と連携する点で第１の実施形態と異なる。
【００６５】
図８は、第４の実施形態に係る通信システムＳを示す図である。第４の実施形態において、通信端末１と、端末２とは、通信システムＳを構成する。図８に示すように、通信端末１は、携帯電話網Ｎを介して端末２と通信可能に接続されている。端末２は、スマートフォン、携帯電話機及びコンピュータ等のように通信機能を有する任意の端末であり、本実施形態においては、通信端末１を使用するユーザである子供の親の端末であることが想定されている。ここで、通信端末１と端末２とは、予め互いに通信可能に設定されているものとする。なお、通信端末１と端末２とは、携帯電話網Ｎに限らず、無線ＬＡＮ等のローカルネットワークを介して通信可能に接続されていたり、Ｂｌｕｅｔｏｏｔｈ（登録商標）等の近距離無線通信技術を用いて通信可能に接続されていたりしてもよい。
【００６６】
図９は、第４の実施形態に係る端末２の構成を示す図である。端末２は、表示部２１と、入力部２２と、通信ＩＦ部２３と、記憶部２４と、制御部２５とを備える。
表示部２１は、例えば、液晶ディスプレイや有機ＥＬディスプレイ等により構成される。表示部２１は、制御部２５の制御に応じて文字や図形等を表示する。
入力部２２は、例えば、ボタンや、表示部２１に重畳して配置されるタッチパネル等により構成されており、端末２のユーザから操作入力を受け付ける。
【００６７】
通信ＩＦ部２３は、制御部２５から出力された信号を変調してＲＦ信号を生成し、アンテナ（不図示）を介して当該ＲＦ信号を基地局（不図示）又は無線ＬＡＮ等のアクセスポイント（不図示）に無線送信する。通信ＩＦ部２３は、アンテナを介して基地局又はアクセスポイントから受信したＲＦ信号を復調し、復調により得られた信号を制御部２５に出力する。以下の説明において、端末２は、通信ＩＦ部２３を介して通信端末１と通信を行うものとする。
【００６８】
記憶部２４は、例えば、ＲＯＭ及びＲＡＭ等により構成される。記憶部２４は、端末２を機能させるための各種プログラムを記憶する。例えば、記憶部２４は、端末２の制御部２５を、後述する受付部２５１、通知部２５２として機能させ、端末２と通信端末１との連携をとるための連携プログラムを記憶する。
【００６９】
制御部２５は、例えば、ＣＰＵにより構成される。制御部２５は、記憶部２４に記憶されている各種プログラムを実行することにより、端末２に係る機能を制御する。制御部２５は、受付部２５１と、通知部２５２とを備える。
【００７０】
受付部２５１は、連携プログラムを実行すると、表示部２１に図１０（ａ）に示すメニュー画面を表示させる。図１０（ａ）に示すメニュー画面では、４つのモードとして、通信端末１の現在位置や移動経路を表示したりする安心機能モード、通信端末１のユーザとメールや電話等を行うコミュニケーションモード、通信端末１に対してタイマー等の各種時計機能の設定を行うウォッチモード、その他の設定を行うその他設定モードのいずれかのモードを選択することができる。
【００７１】
受付部２５１は、ウォッチモードが選択されると、図１０（ｂ）に示すウォッチモードのメニュー画面を表示部２１に表示させる。図１０（ｂ）では、端末２のユーザは、通信端末１において予め定められた時間を測定するタイマーモードと、予め設定された時刻となったことをユーザに通知するアラームモードとを選択することができる。
【００７２】
受付部２５１は、図１０（ｂ）に示す画面においてアラームモードが選択されると、図１０（ｃ）に示すアラームモードの画面を表示部２１に表示させる。具体的には、受付部２５１は、アラームモードが選択されると、通信端末１にスケジュール情報の取得リクエストを送信し、通信端末１からスケジュール情報を取得して表示部２１に表示させる。
【００７３】
図１０（ｃ）に示す画面では、通信端末１に設定されているスケジュール情報を閲覧することができ、受付部２５１は、例えばスワイプ操作によって複数のスケジュール情報のそれぞれを表示部２１に表示させる。また、図１０（ｃ）に示す画面では、スケジュールの設定を行う設定ボタンが設けられており、受付部２５１は、当該設定ボタンが選択されると、スケジュールの登録画面を表示させ、予定の種別と、当該予定の開始予定時刻及び終了予定時刻とを受け付ける。受付部２５１は、受け付けた予定の種別と、当該予定の開始予定時刻及び終了予定時刻とを通信端末１に送信する。
【００７４】
通信端末１の記憶制御部１５３は、予定の種別と、当該予定の開始予定時刻及び終了予定時刻とを端末２から受信すると、当該予定の種別と、当該開始予定時刻及び終了予定時刻とを関連付けてスケジュール情報として記憶部１４に記憶させる。
【００７５】
受付部２５１は、図１０（ｂ）に示す画面においてタイマーモードが選択されると、図１１（ａ１）に示すタイマーモードの計測画面を表示部２１に表示させる。具体的には、受付部２５１は、タイマーモードが選択されると、通信端末１に規定時間情報の取得リクエストを送信し、通信端末１から規定時間情報を取得して表示部２１に表示させる。また、受付部２５１は、タイマーモードが選択されると、通信端末１に計測画面を表示させる表示指示情報を送信する。ここで、タイマーモードが選択された場合、制御部２５は、表示部２１に画面を表示させるためのバックライト（不図示）を常時点灯するとともに、タイマーモードに関連する機能以外を動作させないようにしてもよい。このように、タイマーモードに関連する機能以外を動作させないことにより、端末２を省電力状態とし、タイマーモードの動作中に、電池切れにより動作が停止することを抑制することができる。
【００７６】
通信端末１の受付部１５１は、表示指示情報を受信すると、図３（ａ）に示す計測画面を表示部１１に表示させる。なお、通知部１５４は、表示指示情報を受信したことに応じて、例えば、スピーカに音を出力させて計測画面が表示されたことを通信端末１のユーザに通知してもよい。
【００７７】
図１１（ａ１）に示す計測画面では、通信端末１に記憶されている規定時間情報に含まれる行為の種別と、当該行為に対して定められた規定時間とが関連付けて表示されており、ユーザは、それぞれの行為の種別を選択することができる。
【００７８】
また、図１１（ａ１）に示す計測画面では、規定時間情報の設定を行う設定ボタンが設けられており、受付部２５１は、当該設定ボタンが選択されると、規定時間情報の登録画面を表示させ、行為の種別と、当該行為に対して定められる規定時間とを受け付ける。受付部２５１は、受け付けた行為の種別と、当該行為の規定時間とを通信端末１に送信する。
通信端末１の記憶制御部１５３は、行為の種別と、規定時間とを受信すると、当該行為の種別と、当該規定時間とを関連付けて規定時間情報として記憶部１４に記憶させる。
【００７９】
図１１（ａ１）に示す計測画面において、行為の種別が選択されると、受付部２５１は、計測画面を図１１（ａ２）に示すように変化させる。図１１（ａ２）に示す計測画面では、行為の種別と、当該行為の規定時間と、開始指示を受け付ける計測開始ボタンとが表示されている。受付部２５１は、計測開始ボタンがタッチされると、選択された行為の種別を示す情報を含み、当該行為に対応する時間の計測の開始指示を示す開始指示情報を通信端末１に送信する。
【００８０】
通信端末１の受付部１５１は、端末２から開始指示情報を受信することにより、端末２において選択された行為の種別を受け付けるとともに、当該行為の時間の計測の開始指示を受け付ける。
ここで、受付部１５１は、図３（ａ）に表示されている計測画面において開始指示を受け付けてもよい。
【００８１】
受付部１５１は、開始指示を受け付けると、計測部１５２に時間の計測を開始させるとともに、図３（ｂ）に示すように、計測部１５２が計測した時間と、計測中断ボタンとを計測画面に表示させる。
【００８２】
通知部１５４は、受付部１５１が開始指示を受け付けると、端末２に開始指示情報を含む同期情報を送信することにより、当該端末２に、受付部１５１が受け付けた行為の種別の時間の計測の開始指示を受け付けた旨を通知する。
その後、通知部１５４は、計測部１５２による計測が行われている間、計測部１５２による計測時間を含む同期情報を端末２に定期的に送信する。
【００８３】
端末２の受付部２５１は、開始指示情報を含む同期情報を受信すると、図１１（ｂ）に示すように、計測画面に計測中断ボタンを表示させる。また、受付部２５１は、計測部１５２が計測した時間を含む同期情報を受信すると、図１１（ｂ）に示すように、計測画面に、当該計測した時間を表示させる。ここで、受付部２５１は、開始指示情報を含む同期情報を受信したことに応じて、通信端末１において開始指示を受け付けた旨を示す音声等を端末２のスピーカ（不図示）から出力して、端末２のユーザに通知するようにしてもよい。
【００８４】
受付部２５１は、図１１（ｂ）に示す計測中断ボタンがタッチされると、時間を計測している行為の種別を示す情報を含み、当該行為に対応する時間の計測の中断指示を示す中断指示情報を通信端末１に送信する。
また、受付部２５１は、計測中断ボタンがタッチされると、図１１（ｃ）に示すように、計測画面に計測再開ボタンを表示させる。また、計測中断ボタンがタッチされると、通信端末１における計測時間を含む同期情報の送信が停止することから、図１１（ｃ）に示す計測画面に表示されている残り時間の進行が停止する。
【００８５】
通信端末１の受付部１５１は、中断指示情報を受信することにより、端末２から、時間を計測している行為の種別を受け付けるとともに、当該行為の時間の計測の中断指示を受け付ける。受付部１５１は、中断指示を受け付けると、計測部１５２に時間の計測を中断させるとともに、図３（ｃ）に示すように、計測再開ボタンを計測画面に表示させる。
【００８６】
また、受付部１５１が、図３（ｂ）に示す計測画面において中断指示を受け付けると、通知部１５４は、端末２に中断指示情報を含む同期情報を送信することにより、当該端末２に、時間を計測している行為の種別について、時間の計測の中断指示を受け付けた旨を通知する。
端末２の受付部２５１は、中断指示情報を含む同期情報を受信すると、図１１（ｃ）に示すように、計測画面に計測再開ボタンを表示させる。ここで、受付部２５１は、中断指示情報を含む同期情報を受信したことに応じて、通信端末１において中断指示を受け付けた旨を示す音声等を端末２のスピーカから出力して、端末２のユーザに通知するようにしてもよい。
【００８７】
なお、受付部１５１は、時間の計測の終了指示を受け付けると、端末２に終了指示情報を含む同期情報を送信することにより、端末２に、時間を計測している行為の種別について、時間の計測の終了指示を受け付けた旨を通知してもよい。
端末２の受付部２５１は、終了指示情報を含む同期情報を受信すると、計測画面を非表示にして、例えば、端末２の待ち受け画面等を表示させる。ここで、受付部２５１は、終了指示情報を含む同期情報を受信したことに応じて、通信端末１において終了指示を受け付けた旨を示す音声等を端末２のスピーカから出力して、端末２のユーザに通知するようにしてもよい。
【００８８】
受付部２５１は、図１１（ｃ）に示す計測再開ボタンがタッチされると、計測を中断している行為の種別を示す情報を含み、当該行為に対応する時間の計測の再開指示を示す再開指示情報を通信端末１に送信する。
また、受付部２５１は、計測再開ボタンがタッチされると、図１１（ｂ）に示すように、計測画面に計測中断ボタンを表示させる。
【００８９】
通信端末１の受付部１５１は、再開指示情報を受信することにより、端末２から、行為の種別を受け付けるとともに、当該行為の時間の計測の再開指示を受け付ける。受付部１５１は、再開指示を受け付けると、計測部１５２に時間の計測を再開させる。
【００９０】
また、受付部１５１が、図３（ｃ）に示す計測画面において再開指示を受け付けると、通知部１５４は、端末２に再開指示情報を含む同期情報を送信することにより、当該端末２に、計測を中断している行為の種別について、時間の計測の再開指示を受け付けた旨を通知する。
端末２の受付部２５１は、当該同期情報を受信すると、図１１（ｂ）に示すように、計測画面に計測中断ボタンを表示させる。ここで、受付部２５１は、再開指示情報を含む同期情報を受信したことに応じて、通信端末１において再開指示を受け付けた旨を示す音声等を端末２のスピーカから出力して、端末２のユーザに通知するようにしてもよい。
【００９１】
通知部１５４は、計測部１５２が計測した時間が、受付部１５１が受け付けた行為の種別に関連付けられている規定時間を経過すると、当該規定時間を経過した旨を通信端末１と端末２との少なくともいずれかに通知する。通知部１５４は、計測画面を図３（ｄ）に示す表示に切り替えることにより、規定時間を経過した旨を通信端末１のユーザに通知する。また、通知部１５４は、規定時間を経過した旨を示す情報を端末２に送信する。
【００９２】
端末２の通知部２５２は、規定時間を経過した旨を示す情報を受信すると、計測画面を図１１（ｄ）に示す表示に切り替えることにより、規定時間を経過した旨を端末２のユーザに通知する。
【００９３】
［第４の実施形態における効果］
以上のとおり、第４の実施形態に係る通信端末１は、端末２から行為の種別を受け付けるとともに時間の計測の開始指示を受け付けるので、端末２のユーザの操作に応じて時間の計測を開始することができる。
【００９４】
また、通信端末１は、時間の計測の中断指示を受け付けると、端末２に、中断指示を受け付けた旨を通知するので、通信端末１のユーザと端末２のユーザとが離れた位置にいる場合であっても、通信端末１のユーザが行為を中断したことを端末２のユーザが把握することができる。
【００９５】
また、通信端末１は、端末２から行為の種別と規定時間とを受信し、当該行為の種別と規定時間とを関連付けて記憶部１４に記憶させるので、端末２のユーザが、行為に対する規定時間を設定することができる。
【００９６】
また、通信端末１は、端末２から予定の種別と当該予定の開始予定時刻とを受信し、当該予定の種別と開始予定時刻とを関連付けて記憶部１４に記憶させるので、端末２のユーザが、通信端末１のユーザのスケジュールを設定することができる。
【００９７】
＜第５の実施形態＞
［複数の通信端末１が情報を共有する］
続いて、第５の実施形態について説明する。通信端末１を子供が使用する場合には、子供同士で、勉強時間の長さや宿題を解く時間の速さを競うことができるのが好ましい。第５の実施形態では、複数の通信端末１が、同一の行為の種別に対応する計測時間を共有する点で第１の実施形態と異なる。
【００９８】
図１２は、第５の実施形態に係る通信システムＳを示す図である。第５の実施形態において、複数の通信端末１（通信端末１Ａ、通信端末１Ｂ）と、端末２とは、通信システムＳを構成する。
【００９９】
端末２の受付部２５１は、複数の通信端末１のそれぞれにおいて計測された行為の種別の計測時間を受け付ける。そして、端末２の通知部２５２は、同一の行為の種別に対して通信端末１Ａが計測した時間を通信端末１Ｂに通知するとともに、通信端末１Ｂが計測した時間を通信端末１Ａに通知する。
【０１００】
例えば、端末２の受付部２５１は、通信端末１Ａが計測した勉強時間と、通信端末１Ｂが計測した勉強時間とを受け付けると、通信端末１Ｂが計測した勉強時間を通信端末１Ａに通知するとともに、通信端末１Ａが計測した勉強時間を通信端末１Ｂに通知する。
【０１０１】
なお、端末２は、通信端末１Ａ及び通信端末１Ｂにおける時間の計測を同時に開始できるようにしてもよい。例えば、受付部２５１は、図１１（ａ２）に示す計測画面において計測開始ボタンがタッチされると、選択された行為の種別を示す情報を含み、当該行為に対応する時間の計測の開始指示を示す開始指示情報を通信端末１Ａ及び通信端末１Ｂに送信する。
【０１０２】
通信端末１Ａ及び通信端末１Ｂの計測部１５２は、端末２から開始指示情報を受信することにより、端末２において選択された行為の時間の計測を開始する。このようにすることで、例えば、通信端末１Ａ及び通信端末１Ｂを使用する兄弟で同時に勉強時間を競わせることができる。
【０１０３】
なお、端末２は、通信端末１Ａ及び通信端末１Ｂとは異なる他の端末と通信を行うことにより、当該他の端末に紐づいている通信端末における行為の種別の計測時間を取得してもよい。
【０１０４】
例えば、通信端末１Ａを子供Ｃ１が使用し、端末２を子供Ｃ１の母親Ｍ１が使用しているものとする。そして、他の端末を子供Ｃ２の母親Ｍ２が使用し、他の端末に紐づいている通信端末を子供Ｃ２が使用しているものとする。この場合において、端末２は、母親Ｍ１の操作に応じて、母親Ｍ２が使用する他の端末から、子供Ｃ２の勉強の計測時間を取得し、当該計測時間を子供Ｃ１が使用する通信端末１Ａに表示させてもよい。なお、この場合において、他の端末は、母親Ｍ２の許可を受け付けたことに応じて、子供Ｃ２の勉強の計測時間を端末２に送信してもよい。このようにすることで、子供Ｃ１は、子供Ｃ２の勉強状況を励みとして勉強を行うことができる。
【０１０５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【０１０６】
例えば、第１の実施形態において、通信端末１の記憶制御部１５３は、１日に一度、指定の時間に、記憶部１４に行為の種別と関連付けられて記憶されている経過時間を定期的に消去したが、これに限らない。例えば、記憶制御部１５３は、端末２から、経過時間の修正及びリセットを要求する変更指示を受け付けたことに応じて、経過時間を変更してもよい。このようにすることで、通信端末１は、計測部１５２が計測した経過時間を、端末２からの変更指示に応じてリセットしたり、任意の時間に修正したりすることができる。
【０１０７】
例えば、第２の実施形態において、通信端末１は、単位期間ごとの、測定結果情報に含まれる複数の行為のそれぞれの計測時間の合計と、規定時間の合計とを示すグラフを表示部１１に表示させたが、これに限らない。例えば、第４の実施形態の通信端末１と端末２との双方が当該グラフを表示するようにしてもよい。
【０１０８】
また、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【０１０９】
１・・・通信端末、１１・・・表示部、１２・・・入力部、１３・・・通信ＩＦ部、１４・・・記憶部、１５・・・制御部、１５１・・・受付部、１５２・・・計測部、１５３・・・記憶制御部、１５４・・・通知部、２・・・端末、２１・・・表示部、２２・・・入力部、２３・・・通信ＩＦ部、２４・・・記憶部、２５・・・制御部、２５１・・・受付部、２５２・・・通知部、Ｓ・・・通信システム
【図１】
0006007274.tif 000002
【図２】
0006007274.tif 000003
【図３】
0006007274.tif 000004
【図４】
0006007274.tif 000005
【図５】
0006007274.tif 000006
【図６】
0006007274.tif 000007
【図７】
0006007274.tif 000008
【図８】
0006007274.tif 000009
【図９】
0006007274.tif 000010
【図１０】
0006007274.tif 000011
【図１１】
0006007274.tif 000012
【図１２】
0006007274.tif 000013